(57)【要約】【課題】 ざぼんを任意の形状に生育させ、かつ病虫害から保護する。【解決手段】  第一殼体１０、第二殼体１１、及び各殻体側面の開口に係合する文字、図形或いはマークを設けた造型板より構成する。果実（ざぼん）を該第一殼体及び該第二殼体内側に形成する空間中に配置し、第一、二殻体を合体して閉じ、果実の成長、成熟に任せる。  成長した果実は、外殻体の八角形などの形状になり、その外皮には造形板に形成した文字などの模様が凹凸として形成される。果実は、該殻体に保護されるため、病虫害などを回避でき、品質も向上する。【選択図】  図９
0003123833.tif 000002
【実用新案登録請求の範囲】
【請求項１】
第一殼体、第二殼体、造型板から構成し、
該第一殼体は、中空かつ半裁断面状で、該第一殼体外側周縁面上には板設置孔を形成し、該第一殼体内側の該板設置孔の周縁位置に係合孔を形成し、該第一殼体の頂端には第一頂点口を形成し、該第一頂点口外側位置には第一穿設ブロックを突出設置し、該第一穿設ブロック上には穿設孔を形成し、該第一頂点口に相対する該第一殼体の底端には第一底口を形成し、該第一底口に隣接する位置には通気孔を形成し、該第一殼体の側端面上には嵌設ブロックを形成し、該嵌設ブロックとの隣接位置には定位ブロックを形成し、該定位ブロック上には貫通係合孔を形成し、
該第二殼体は、中空かつ半裁断面状で、該第二殼体外側周縁面上には板設置孔を形成し、該第一殼体内側の該板設置孔の周縁位置に係合孔を形成し、該第二殼体の頂端には該第一殼体の該第一頂点口と相対する第二頂点口を形成し、該第二頂点口外側位置には第二穿設ブロックを突出設置し、該第二穿設ブロック上には穿設孔を形成し、該第二頂点口に相対する該第二殼体の底端には第二底口を形成し、該第二底口に隣接する位置には通気孔を形成し、該第二殼体の側端面上には嵌接孔を形成した嵌接ブロックを設けて該嵌接孔を介して該第一殼体の側端面上の嵌設ブロックが嵌合可能とし、該嵌接ブロック上には、該嵌接ブロックに隣接して定位ブロックを形成し、該定位ブロック上には凸伸する凸体を形成し、
該造型板は、板片状で、該第一殼体及び該第一殼体上の板設置孔に嵌合可能とし、該造型板片側と該第一殼体及び該第二殼体上の係合孔は相対して係合可能な係合ブロックを形成し、該造型板の内側には文字などを表わす凹型陥没溝を形成したことを特徴とするざぼんの成長補助治具。
【請求項２】
前記補助治具は、１個以上の該第一殼体及び該第二殼体からなることを特徴とする請求項１記載のざぼんの成長補助治具。
【請求項３】
前記第一殼体及び該第二殼体は、円錐形状のざぼんの形態を呈することを特徴とする請求項１或いは２記載のざぼんの成長補助治具。
【請求項４】
前記第一殼体及び該第二殼体は、それぞれ多面体により構成したことを特徴とする請求項１或いは２記載のざぼんの成長補助治具。
【請求項５】
前記第一殼体及び該第二殼体は、それぞれ成長看視孔を設置したことを特徴とする請求項１記載のざぼんの成長補助治具。
【請求項６】
前記凹型陥没溝は、文字或いは図形の形態を呈することを特徴とする請求項１記載のざぼんの成長補助治具。
【請求項７】
前記第一頂点口及び該第二頂点口上端隣接位置には枝係合体を設置したことを特徴とする請求項１記載のざぼんの成長補助治具。
【請求項８】
前記枝係合体上の中間位置には係合リングを形成し、該枝係合体一端は該第一穿設ブロック上に形成する穿設孔中に挿通し、反対端は該第二穿設ブロック上に形成する穿設孔中に挿通することを特徴とする請求項７記載のざぼんの成長補助治具。
【請求項９】
前記枝係合体上と該係合リングの隣接位置には緊密固定体を設置可能したことを特徴とする請求項８記載のざぼんの成長補助治具。
【考案の詳細な説明】
【技術分野】
【０００１】
本考案は、一種のざぼんの成長補助治具に関する。特に、ざぼんの全体外観を改変可能で、表皮に文字或いは図案を形成可能で、天然災害、虫害の防止を達成し、しかも生産高及び品質を向上させることができるざぼんの成長補助治具に係る。
【背景技術】
【０００２】
図１２、１３、１４、１５に示すように、公知の果実用の補助治具では、養分が均等にいきわたらないため、果実（ざぼん）の糖度にも悪い影響があり、且つ果実（さぼん）の表面に特殊なデザインを設けることもできないため、芸術的観点からみても購買意欲がそそられない。
これに対して本考案はざぼんを植え付ける時にその外観型態を変化させることができ、しかもざぼんを天候及び虫害の影響から守り、高品質、高生産量を実現し、消費者の購買意欲を刺激することができる。
【特許文献１】特許第３５８３３８６号公報
【考案の開示】
【考案が解決しようとする課題】
【０００３】
公知構造には以下の欠点があった。
すなわちざぼんは、自然生産法により生産する自然果実であり、組織が比較的緩く皮は厚くいため、収穫15日目から水分が失われ外形が收縮して変形し始め、消費者の購買意欲を低下させてしまっていた。さらに形状或いは外観を改変することができなかったため、市場を拡大することができなかった。
本考案は上記構造の問題点を解決したざぼんの成長補助治具を提供するものである。
【課題を解決するための手段】
【０００４】
上記課題を解決するため、本考案は下記のざぼんの成長補助治具を提供する。
ざぼんの成長補助治具を、第一殼体、第二殼体、造型板により構成し、
該第一殼体は中空かつ半断面状で、該第一殼体外側周縁面上には板設置孔を形成し、該第一殼体内側で、しかも該板設置孔の周縁の適当な位置には係合孔を形成し、該第一殼体の頂端には第一頂点口を形成し、該第一頂点口外側の適当な位置には第一穿設ブロックを突出設置し、該第一穿設ブロック上には穿設孔を形成し、該第一頂点口に相対する該第一殼体の底端には第一底口を形成し、該第一底口との隣接位置には通気孔を形成し、該第一殼体の側端面上には嵌設ブロックを形成し、該嵌設ブロックとの隣接位置には定位ブロックを形成し、該定位ブロック上には貫通係合孔を形成し、
該第二殼体は中空かつ半断面状で、該第二殼体外側周縁面上には板設置孔を形成し、該第一殼体内側で、しかも該板設置孔の周縁の適当な位置には係合孔を形成し、該第二殼体の頂端には該第一殼体の該第一頂点口と反対方向を呈し対応する第二頂点口を形成し、該第二頂点口外側の適当な位置には第二穿設ブロックを突出設置し、該第二穿設ブロック上には穿設孔を形成し、該第二頂点口に相対する該第二殼体の底端には第二底口を形成し、該第二底口との隣接位置には通気孔を形成し、該第二殼体の側端面上と第一殼体の嵌設ブロックは対応を呈し嵌接ブロックを形成し、該嵌接ブロック上には嵌接孔を形成し、該嵌接ブロックとの隣接位置には定位ブロックを形成し、該定位ブロック上には凸体を形成し、
該造型板は板片状でしかも該第一殼体及び該第一殼体上の板設置孔と嵌合可能な状態を呈する形態で、該造型板片側と該第一殼体及び該該第二殼体上の係合孔は対応し係合可能な状態で係合ブロックを形成し、該造型板の反対側には凹型陥没溝を形成することを特徴とするざぼんの成長補助治具である。
【考案の効果】
【０００５】
上記のように、本考案は成長補助治具により全体を八角体とし、これにより養分は果実中に均一に分布し、余分な養分は樹枝によりその他果実中に導入され、すべての果実の大きさを均一化することができ、すなわち自然生産法を改変可能である。また果実を成長補助治具中に嵌設し栽培するため、果実は成長補助治具により包まれ、果実に対する自然災害の影響と損害を低下させ、損失を低減することができ、すなわち自然災害の損失を低下させることができる。さらに、繰返し使用可能であるため、袋状物の使用量を大幅に減らすことでコストを節減可能である。また成長補助治具は果実の外側に嵌設するため、虫害の発生を効果的に防止可能で、農薬の使用量を大幅に低下させ、農薬の環境に対する汚染を低下させることができる。さらに成長補助治具を果実の外側に嵌設するため果実への農薬噴霧を減少させ、或いは噴霧せずとも虫害を抑えることができるため、農薬の人体に対する危害を低下させることができる。また、該造型板上に形成する文字或いは図案は、果実の表皮上に形成されるため、果実は芸術的効果及び価値を持つようになり、また造型板上に形成する文字或いは図案によって、成長補助治具中に嵌設する果実は消費者の購買意欲を拡大し売上を増加させることができる。
【考案を実施するための最良の形態】
【０００６】
図1、2、5、3、4、6、7に示すように、本考案のざぼんの成長補助治具1は、第一殼体10、第二殼体11、造型板12により構成する。
該第一殼体10は、中空かつ半裁断面状で、三面体、四面体、多面体、或いは円錐形状のざぼんの形態とすることができる。しかも該補助治具1は、１個以上の第一殼体10により構成する。該第一殼体10外側周縁面上には板設置孔100を形成し、該第一殼体10内側で、しかも該板設置孔100周縁の適当な位置に係合孔101を形成する。
該第一殼体10の頂端には第一頂点口102を形成し、該第一頂点口102外側の適当な位置は第一穿設ブロック103を突出形成する。該第一穿設ブロック103上には穿設孔1030を形成し、該第一頂点口102に対応して該第一殼体10の底端に第一底口104を形成し、該第一底口104の隣接位置には通気孔105を形成する。該第一殼体10の側端面上には嵌設ブロック106を形成し、該嵌設ブロック103隣接位置には定位ブロック107を形成し、該定位ブロック107上には貫通係合孔1070を形成する。
【０００７】
該第二殼体11は（図５〜７参照）、中空かつ半裁断面状で、三面体、四面体、多面体、或いは円錐形状のざぼんの形態とすることができる。しかも、該補助治具1は１個以上の第二殼体11により構成する。該第二殼体11外側周縁面上には板設置孔110を形成し、該第一殼体11内側で、かつ、該板設置孔110周縁の適当な位置には係合孔111を形成する。該第二殼体11の頂端には該第一殼体10の第一頂点口102と相対する第二頂点口112を形成し、該第二頂点口112外側の適当な位置には第二穿設ブロック113を突出設置する。該第二穿設ブロック113上には穿設孔1130を形成し、該第二頂点口112に対応して該第二殼体11の底端に第二底口114を形成する。該第二底口114の隣接位置には通気孔115を形成し、該第二殼体11の側端面上には該第一殼体10の嵌設ブロック106に対応して嵌接ブロック116を形成する。該嵌接ブロック116上には嵌接孔1160を形成し、該嵌接孔1160は該第一殼体10上に形成する嵌設ブロック106と相互に嵌合する。これにより、該第一殼体10と該第二殼体11は、相対して結合して一体化し、該嵌接ブロック116隣接位置には定位ブロック117を形成する。該定位ブロック117上には凸体1170を形成し、該凸体1170は該第一殼体10の定位ブロック107上に形成する貫通係合孔1070と相互に穿設する。
該造型板12は、板片状でかつ該第一殼体10及び該第一殼体10上の板設置孔100に嵌合する。該造型板12片側と該第一殼体10及び該第二殼体11上の係合孔101、111は相対して係合可能な状態で係合ブロック120を形成する。該係合ブロック120は、該第一殼体10と該第二殼体11の板設置孔100上に形成する係合孔101と相互に係合し、該造型板12の反対側には凹型陥没溝121を形成する。該凹型陥没溝121は文字或いは図形の形態である。
【０００８】
次に図3、6、8、9、10、11に示すように、該第一頂点口102及び該第二頂点口112上端の隣接位置には枝係合体13を設置可能である。該枝係合体13上の適当な位置には係合リング130を形成し、該枝係合体13一端は該第一穿設ブロック103上に形成する穿設孔1030中に挿通し、他端は該第二穿設ブロック113上に形成する穿設孔1130中に挿通する。該枝係合体13上と該係合リング130の隣接位置には緊密固定体14を設置可能である。
該第一殼体10及び該第二殼体11内部に果実（ざぼん）2を設置可能で、該嵌設ブロック106を該嵌接ブロック116上の嵌接孔1160に嵌合する。また、該第一殼体10上に突出設置する定位ブロック107上の貫通係合孔1070と該第二殼体11上の定位ブロック117に形成する凸体1170が相互に係合する。これにより該果実（ざぼん）2は、該成長補助治具1中に嵌設される形態を呈する。該果実（ざぼん）2一端に連なる樹枝20（図９参照）は、該第一頂点口102及び該第二頂点口112より該成長補助治具1の外に穿設され、果実（ざぼん）2は普通に成長を続けることができる。該果実（ざぼん）2の成長範囲は該成長補助治具1の制限を受けるため、該果実（ざぼん）2の外型は該成長補助治具1の八角体状に応じて、該果実（ざぼん）2の外型も同様に該成長補助治具1の八角体となる。しかも該第一殼体10と該第二殼体11上に設置する造型板12上に形成する凹型陥没溝121により、該果実（ざぼん）2が該成長補助治具1に嵌合される時、該果実（ざぼん）2の外皮はまもなく成熟する段階において設置された該凹型陥没溝121の形状に対応して相対的にわずかな凸状に成長し、本考案が意図する凸体字、凸体図形或いは凸体マーク等の形態を達成することができる。さらに該第一殼体10及び該第二殼体11はそれぞれ成長看視孔を設置し、該果実2の成長状況を看視可能で、これによりざぼんの品質は全面的に向上し、国際市場開拓も可能となる。さらには生産過剰の問題を解決することにより政府に協力し、ざぼん農家に新たな希望をもたらすことができる。
【図面の簡単な説明】
【０００９】
【図１】本考案の第一殼体の立体図である。
【図２】本考案の造型板の立体図である。
【図３】第一殼体に造型板を組合せる様子の立体分解図である。
【図４】第一殼体と造型板の組合せ図である。
【図５】本考案の第二殼体の立体図である。
【図６】第二殼体に造型板を組合せる様子の立体分解図である。
【図７】第二殼体と造型板の組合せ図である。
【図８】枝係合体及び緊密固定体の図である。
【図９】本考案の第一実施例の図である。
【図１０】本考案の果実を表わす図である。
【図１１】本考案の第二実施例を示す図である。
【図１２】公知の立体図である。
【図１３】公知の立体分解図である。
【図１４】公知の第一実施例図である。
【図１５】公知の第二実施例図である。
【符号の説明】
【００１０】
1  成長補助治具
10  第一殼体
100  板設置孔
101  係合孔
102  第一頂点口
103  第一穿設ブロック
1030  穿設孔
104  第一底口
105  通気孔
106  嵌設ブロック
107  定位ブロック
1070  貫通係合孔
11  第二殼体
110  板設置孔
111  係合孔
112  第二頂点口
113  第二穿設ブロック
1130  穿設孔
114  第二底口
115  通気孔
116  嵌接ブロック
1160  嵌接孔
117  定位ブロック
1170  凸体
12  造型板
120  係合ブロック
121  凹型陥没溝
13  枝係合体
130  係合リング
14  緊密固定体
2  果実（ざぼん）
20  樹枝
【図１】
0003123833.tif 000003
【図２】
0003123833.tif 000004
【図３】
0003123833.tif 000005
【図４】
0003123833.tif 000006
【図５】
0003123833.tif 000007
【図６】
0003123833.tif 000008
【図７】
0003123833.tif 000009
【図８】
0003123833.tif 000010
【図９】
0003123833.tif 000011
【図１０】
0003123833.tif 000012
【図１１】
0003123833.tif 000013
【図１２】
0003123833.tif 000014
【図１３】
0003123833.tif 000015
【図１４】
0003123833.tif 000016
【図１５】
0003123833.tif 000017